(57)【要約】【課題】表示パネルの周辺を上フレームが覆い、その上にフロントウインドウが配置された液晶表示装置において、フロントウインドウの端部を基準とした表示領域の中心と液晶表示パネルの表示領域の中心を精度良く一致させる。【解決手段】液晶表示パネル２の周辺を上フレーム３０が覆っている。液晶表示パネル２と上フレーム３０の上にフロントウインドウ１０が接着している。液晶表示パネル２の周辺を覆う上フレーム３０のコーナー部には切り欠き３１が形成され、液晶表示パネル２のコーナー部が露出している。上フレーム３０に切り欠き３１が形成されたコーナー部において、液晶表示パネル２の側面とフロントウインドウ１０の側面を直接位置合わせする。これによって、上フレーム３０を介することなく、フロントウインドウ１０と液晶表示パネル２の位置決めが出来るので、フロントウインドウ１０の端部を基準とした表示領域の中心と液晶表示パネル２の表示領域の中心を精度良く合わせることが出来る。【選択図】図５
2013235146.tif 000002
【特許請求の範囲】
【請求項１】
ＴＦＴと画素電極がマトリクス状に形成されたＴＦＴ基板と、カラーフィルタが形成された対向基板の間に液晶が挟持され、前記対向基板に上偏光板が貼り付けられた液晶表示パネルと、前記液晶表示パネルの周辺を上フレームが覆い、前記上フレームと前記上偏光板の上にフロントウインドウが接着材によって取り付けられた液晶表示装置であって、
前記上フレームは、切り欠きを有し、前記液晶表示パネルの側面は、前記上フレームの切り欠き部において、前記上フレームには覆われていないことを特徴とする液晶表示装置。
【請求項２】
前記上フレームの前記切り欠きは、コーナー部に形成されていることを特徴とする請求項１に記載の液晶表示装置。
【請求項３】
前記液晶表示装置は、前記フロントウインドウの端部を基準に、表示装置の筐体に取り付けられることを特徴とする請求項２に記載の液晶表示装置。
【請求項４】
ＴＦＴと画素電極がマトリクス状に形成されたＴＦＴ基板と、カラーフィルタが形成された対向基板の間に液晶が挟持され、前記対向基板に上偏光板が貼り付けられた液晶表示パネルと、前記液晶表示パネルの周辺を上フレームが覆い、前記上フレームと前記上偏光板の上にフロントウインドウが接着材によって取り付けられ、
前記上フレームは、切り欠きを有し、前記液晶表示パネルの側面は、前記上フレームの切り欠き部において、前記上フレームには覆われていない液晶表示装置の製造方法であって、
前記液晶表示パネルあるいは前記フロントウインドウにＵＶ接着材を塗布し、
前記液晶表示パネルと前記フロントウインドウとの位置合わせを、前記上フレームの切り欠き部において、前記液晶表示パネルの側面と前記フロントウインドウの側面を基準に行い、
その後、前記ＵＶ接着材に紫外線を照射して前記フロントウインドウを前記液晶表示パネルおよび前記上フレームに接着することを特徴とする液晶表示装置の製造方法。
【発明の詳細な説明】
【技術分野】
【０００１】
本発明は表示装置に係り、特に液晶表示パネルに上フレームとフロントウインドウを配置した構成において、セットの表示領域の中心と表示パネルの中心とを正確に位置決めすることが出来る液晶表示装置に関する。
【背景技術】
【０００２】
液晶表示装置では画素電極および薄膜トランジスタ（ＴＦＴ）等がマトリクス状に形成されたＴＦＴ基板と、ＴＦＴ基板に対向して、ＴＦＴ基板の画素電極と対応する場所にカラーフィルタ等が形成された対向基板が設置され、ＴＦＴ基板と対向基板の間に液晶が挟持されている。そして液晶分子による光の透過率を画素毎に制御することによって画像を形成している。
【０００３】
液晶表示装置では、画面は一定のサイズを保ったまま、セットの外形寸法を小さくしたいという要求と同時に液晶表示パネルを薄くしたいという要求が強い。液晶表示パネルを薄くするには、液晶表示パネルを製作した後、液晶表示パネルの外側を研磨して薄くしている。
【０００４】
液晶表示パネルを構成する画素電極、ＴＦＴ等が形成されているＴＦＴ基板、カラーフィルタが形成されている対向基板のガラス基板は例えば、０．５ｍｍあるいは０．７ｍｍというように規格化されている。これらの規格化されたガラス基板以外のガラスを市場から入手するのは困難である。また、非常に薄いガラス基板は製造工程で機械的強度、撓み等で問題を生じ、製造歩留まりを低下させる。したがって、規格化されたガラス基板を用いて液晶表示パネルを形成後、液晶表示パネルの外面を研磨して薄くしている。
【０００５】
液晶表示パネルを薄くすると機械的強度が問題となる。液晶表示パネルの表示面に機械的圧力が加わると液晶表示パネルが破壊する危険がある。これを防止するために、液晶表示パネルの前面にガラス等で形成されたフロントウインドウを接着材によって接着する。このような液晶表示装置を記載したものとして、「特許文献１」が挙げられる。
【先行技術文献】
【特許文献】
【０００６】
【特許文献１】特開２００９−００８９７３号公報
【発明の概要】
【発明が解決しようとする課題】
【０００７】
液晶表示パネルは、自らは発光しないので、バックライトが必要である。バックライトからの光が表示領域にのみ集中させることは困難なので、表示領域の周辺に照射された光は、種々の手段によって遮光する。しかし、このような迷光を完全に遮断することは困難である。フロントウインドウを用いた液晶表示装置においては、フロントウインドウの側面から入射するバックライト等からの迷光が問題となっている。
【０００８】
図２は、フロントウインドウ１０を用いた液晶表示装置の表示部分付近を示す断面図である。図２において、液晶表示パネル２の周辺は金属で形成された上フレーム３０によって覆われており、この上フレーム３０がバックライト３からの光を遮光する役割を持っている。図２の構成は後で詳しく説明する。
【０００９】
図２において、筐体２０によって規定される表示領域の中心と液晶表示パネル２の表示領域の中心とは、フロントウインドウ１０の端部と筐体２０の内側端部とを突き合わせて位置合わせを行っている。したがって、液晶表示パネル２の表示領域の中心とフロントウインドウ１０の中心とが正確に一致していないと、液晶表示パネル２の表示領域の中心と筐体２０によって規定される表示領域の中心がずれてしまう。筐体２０の表示領域の中心と液晶表示パネル２の表示領域の中心とは所定の範囲に入らないと不良となる。
【００１０】
図１３は、従来構成における、液晶表示パネル２よりも上側に配置している部品の分解斜視図である。図１３において、一番下が液晶表示パネル２である。液晶表示パネル２は、ＴＦＴと画素電極がマトリクス状に配置したＴＦＴ基板１００に対し、図示しない液晶層を挟んで対向基板２００が配置している。液晶層は図示しないシール材によってシールされている。液晶表示パネル２のＴＦＴ基板１００には、ＩＣドライバ７０が搭載され、フレキシブル配線基板８０が接続されている。図１２において、対向基板２００の上に上偏光板２１０が配置されている。
【００１１】
液晶表示パネル２の上には周辺を遮光するための上フレーム３０が配置される。上フレーム３０は、光を遮断することが目的であるから、板厚は薄くてよく、０．１５ｍｍ程度であり、材料は、例えばＳＵＳ（Ｓｔｅｅｌ  Ｕｓｅ  Ｓｔａｉｎｌｅｓｓ）が使用される。上フレーム３０は、液晶表示パネル２の周辺を覆うように配置する。上フレーム３０とフロントウインドウ１０とは紫外線を照射することによって硬化する接着材（以下、ＵＶ接着材という）５０よって接着している。
【００１２】
図１３において、液晶表示パネル２の上偏光板２１０、および上フレーム３０の上部にＵＶ接着材５０を塗布する。図１３では、ＵＶ接着材５０はシート状に描かれているが、実際は、印刷等によって液体状の接着材５０が塗布される。図１３において、液晶表示パネル２および上フレーム３０の上にフロントウインドウ１０が接着される。フロントウインドウ１０の周辺には、黒色の遮光印刷１２が施されている。
【００１３】
図１４は、従来例におけるフロントウインドウ１０を上フレーム３０等に接着する場合の位置決め治具５００の模式図である。図１４において、フロントウインドウ１０の位置決めは、上フレーム３０を基準に行われている。上フレーム３０の外形が最も大きいので、上フレーム３０を基準に位置決めすることが自然だからである。
【００１４】
しかし、この構成は、上フレーム３０の中心とフロントウインドウ１０の中心を一致させることは出来るが、液晶表示パネル２の表示領域の中心は、上フレーム３０の中心あるいはフロントウインドウ１０の中心とは所定の量のズレが生じている。したがって、完成した液晶表示装置をＤＳＣ（Ｄｉｇｉｔａｌ  Ｓｔｉｌｌ  Ｃａｍｅｒａ）１等の筐体２０に組み込んで、フロントウインドウ１０の端部によって位置合わせをすると、液晶表示パネル２の表示領域の中心と筐体２０によって規定される表示領域の中心とは、上フレーム３０が液晶表示パネル２あるいは、フロントウインドウ１０との間に生ずる誤差を含むことになり、正確な位置合わせが困難であるという問題を生じていた。
【００１５】
図１５は、図１４に示すような治具５００を用いて上フレーム３０、フロントウインドウ１０等を接着した状態を示す斜視図である。図１５において、液晶表示パネル２は、上フレーム３０内に配置されているので、見えていない。図１５において、上フレーム３０の上にフロントウインドウ１０が接着している。図１５はフロントウインドウ１０が上フレーム３０よりも小さいが、この逆に上フレーム３０がフロントウインドウ１０よりも大きい場合もある。しかし、以上で説明した問題点は同じである。
【００１６】
本発明の課題は、液晶表示パネル２の周辺を上フレーム３０が覆い、その上にフロントウインドウ１０が貼り付けられた液晶表示装置がＤＳＣ１等の筐体２０に組み込まれた構成において、ＤＳＣ１等の筐体２０で規定される表示領域の中心と液晶表示パネル２の表示領域の中心との位置ずれを小さくすることである。
【課題を解決するための手段】
【００１７】
本発明は上記問題を克服するものであり、具体的な手段は次のとおりである。
【００１８】
（１）ＴＦＴと画素電極がマトリクス状に形成されたＴＦＴ基板と、カラーフィルタが形成された対向基板の間に液晶が挟持され、前記対向基板に上偏光板が貼り付けられた液晶表示パネルと、前記液晶表示パネルの周辺を上フレームが覆い、前記上フレームと前記上偏光板の上にフロントウインドウが接着材によって取り付けられた液晶表示装置であって、前記上フレームは、切り欠きを有し、前記液晶表示パネルの側面は、前記上フレームの切り欠き部において、前記上フレームには覆われていないことを特徴とする液晶表示装置。
【００１９】
（２）前記上フレームの切り欠きは、コーナー部に形成されていることを特徴とする（１）に記載の液晶表示装置。
【００２０】
（３）前記液晶表示装置は、前記フロントウインドウの端部を基準に、表示装置の筐体に取り付けられることを特徴とする（２）に記載の液晶表示装置。
【００２１】
（４）ＴＦＴと画素電極がマトリクス状に形成されたＴＦＴ基板と、カラーフィルタが形成された対向基板の間に液晶が挟持され、前記対向基板に上偏光板が貼り付けられた液晶表示パネルと、前記液晶表示パネルの周辺を上フレームが覆い、前記上フレームと前記上偏光板の上にフロントウインドウが接着材によって取り付けられ、前記上フレームは、切り欠きを有し、前記液晶表示パネルの側面は、前記上フレームの切り欠き部において、前記上フレームには覆われていない液晶表示装置の製造方法であって、前記液晶表示パネルあるいは前記フロントウインドウにＵＶ接着材を塗布し、前記液晶表示パネルと前記フロントウインドウとの位置合わせを、前記上フレームの切り欠き部において、前記液晶表示パネルの側面と前記フロントウインドウの側面を基準に行い、
その後、前記ＵＶ接着材に紫外線を照射して前記フロントウインドウを前記液晶表示パネルおよび前記上フレームに接着することを特徴とする液晶表示装置の製造方法。
【発明の効果】
【００２２】
本発明によれば、フロントウインドウを基準とする表示領域の中心と液晶表示パネルの表示領域の中心を精度良く一致させることが出来る。したがって、フロントウインドウを基準に表示装置の筐体に液晶表示装置を組み込む際、筐体によって規定される表示装置の表示領域の中心と液晶表示装置の表示領域の中心を簡単に、かつ、精度よく一致させることが出来る。
【図面の簡単な説明】
【００２３】
【図１】本発明による液晶表示装置が組み込まれる表示装置例を示す平面図である。
【図２】図１のＡ−Ａ断面図である。
【図３】本発明を構成する部品の斜視図である。
【図４】本発明による上フレームの斜視図である。
【図５】本発明による、液晶表示パネル、上フレーム、フロントウインドウの組立て斜視図である。
【図６】図５のＢ−Ｂ断面図である。
【図７】上フレームセッティング治具に上フレームをセッティングした状態を示す断面図である。
【図８】液晶表示パネルセッティング治具に上フレームと液晶表示パネルをセッティングした状態を示す断面図である。
【図９】フロントウインドウセッティング治具に液晶表示パネル、上フレーム、フロントウインドウをセッティングした状態を示す断面図である。
【図１０】コーナー部セッティング治具でフロントウインドウと液晶表示パネルを位置合わせしている断面図である。
【図１１】他のコーナー部セッティング治具でフロントウインドウと液晶表示パネルを位置合わせしている断面図である。
【図１２】従来例と本発明におけるセッティング誤差の比較表である。
【図１３】従来例を構成する部品の斜視図である。
【図１４】従来例における上フレームとフロントウインドウの位置決め治具である。
【図１５】従来例による、液晶表示パネル、上フレーム、フロントウインドウの組立て斜視図である。
【発明を実施するための形態】
【００２４】
以下に実施例を用いて本発明の内容を詳細に説明する。
【実施例１】
【００２５】
図１は、本発明が適用される例としてのＤＳＣ１の平面図である。本発明はＤＳＣ１のみでなく、他のディスプレイに適用可能であることはいうまでもない。図１において、表示領域１０５の右側に制御ボタン２１、スイッチボタン２２等が配置している。ＤＳＣ１は、画素数が多くなり、高画質が要求される。筐体２０で規定される表示領域の中心と液晶表示パネルの表示領域の中心がずれると、画面が見にくくなるため、所定の範囲内に設定することが必要である。
【００２６】
図２は、図１のＡ−Ａ断面図である。図２において、液晶表示パネル２は次のような構成となっている。すなわち、ＴＦＴや画素電極がマトリクス状に配置されたＴＦＴ基板１００と、カラーフィルタ等が形成された対向基板２００との間に液晶層１０２が挟持され、ＴＦＴ基板１００の下側には下偏光板１１０が接着し、対向基板２００の上側には上偏光板２１０が接着している。液晶層はシール材１５０によってシールされている。対向基板２００の周辺にはブラックマトリクス１０１が形成され、ブラックマトリクス１０１によって液晶表示パネル２における表示領域１０５が規定されている。液晶表示パネル２は両面接着テープ６０を介してモールド３００に載置されている。
【００２７】
液晶表示パネル２の背面には、バックライト３が配置されている。図２において、バックライト３は、下側から反射シート３１０、導光板３２０、下拡散シート３３０、下プリズムシート３４０、上プリズムシート３５０、上拡散シート３６０、および、図示しない、ＬＥＤ等の光源から構成されている。バックライト３はモールド３００に収容されている。モールド３００を含むバックライト３は下フレーム４０によって覆われている。
【００２８】
液晶表示パネル２の上には、フロントウインドウ１０がＵＶ接着材５０によって貼り付けられている。また、液晶表示パネル２の対向基板２００の上には、上フレーム３０が両面接着テープ６０を介して貼り付けられている。
【００２９】
図２において、筐体２０で規定される表示領域の中心と液晶表示パネル２の表示領域の中心を一致させる必要がある。液晶表示パネル２の表示領域の中心は周辺に形成されたブラックマトリクス１０１によって規定される。また、筐体２０の内側端部には、フロントウインドウ１０の端部がつき合わされるので、フロントウインドウ１０の端部から液晶表示パネル２のブラックマトリクス１０１の内側端部までの距離ｄを所定の範囲内に規定する必要がある。
【００３０】
図３は、本発明の液晶表示装置における液晶表示パネル２、上フレーム３０、接着材５０、フロントウインドウ１０の分解斜視図である。図３の斜視図は、上フレーム３０を除いては図１３で説明したのと同様である。また、接着材５０はシート状に描かれているが、実際は、液晶表示パネル２および上フレーム３０、あるいは、フロントウインドウ１０に印刷等によって形成される。液晶表示パネル２および上フレーム３０にフロントウインドウ１０を位置決めして配置した後、紫外線を照射して、ＵＶ接着材５０を硬化し、フロントウインドウ１０を液晶表示パネル２等に接着する。
【００３１】
図３の上フレーム３０は、コーナー部に切り欠き３１が形成されており、これが、本発明の特徴となっている。図４は、上フレーム３０のみ取り出した斜視図である。図４のような上フレーム３０を使用することによって、液晶表示パネル２と上フレーム３０を組み立てた後、上フレーム３０のコーナー部の切り欠き部分３１では、液晶表示パネル２が露出することになる。
【００３２】
図５はこの状態を示す斜視図である。図５において、液晶表示パネル２を上フレーム３０が覆っている。しかし、コーナー部においては、液晶表示パネル２が露出している。液晶表示パネ２および上フレーム３０を覆ってフロントウインドウ１０が接着している。図５は、液晶表示パネル２とフロントウインドウ１０の外形寸法が一致しているが、これは例であって、液晶表示パネル２あるいはフロントウインドウ１０の外形は任意とすることができる。
【００３３】
図６は、図５のＢ−Ｂ断面図である。図６において、液晶表示パネル２の上に両面接着テープ６０によって上フレーム３０が接着している。上フレーム３０は、コーナー部では、切り欠き３１が形成されている。点線は、切り欠き３１が無かった場合の上フレーム３０の位置を示す。図６において、液晶表示パネル２と上フレーム３０の上にＵＶ接着材５０によって、フロントウインドウ１０が接着している。図６においては、後で説明する組立て方法によって、フロントウインドウ１０の端部（側面）と液晶表示パネル２の端部（側面）とは治具によって正確に位置決めされている。これによって、フロントウインドウ１０の端部によって規定される筐体２０の表示領域の中心と、液晶表示パネル２のブラックマトリクス１０１によって規定される液晶表示パネル２の表示領域を所定の範囲内で正確に一致させることが出来る。
【００３４】
図７〜図１０は、本発明による液晶表示パネル２、上フレーム３０、フロントウインドウ１０の組立て方法を示す模式図である。図７は上フレームセッティング治具４００に、内側に両面接着テープ６０が貼り付けられた上フレーム３０がセッティングされた状態を示す断面図である。図７は、上フレーム３０のコーナー部以外の部分の断面図を示している。
【００３５】
図８は、上フレーム３０の内側に液晶表示パネル２をセッティングする状態を示す断面模式図である。図８における液晶表示パネル−上フレームセッティング治具４１０は、上フレームセッティング治具４００に対して、液晶表示パネル２を位置決めするための、ガイド４１１が追加されているものである。このガイド４１１に沿って液晶表示パネル２が上フレーム３０の内側に両面接着テープ６０を介して接着する。これによって、上フレーム３０と液晶表示パネル２の組み立て体が形成される。なお図８の点線は、液晶表示パネル２がガイド４１１に沿って上フレーム３０の内側に落ちている途中のプロセスを示している。
【００３６】
図９は、上フレーム３０と液晶表示パネル２の組み立て体に対して、フロントウインドウ１０を接着するためのフロントウインドウセッティング治具４２０の斜視図である。フロントウインドウセッティング治具４２０は、内側に凹部を有するトレイ状となっている。実施例９において、トレイの凹部内に、液晶表示パネル２と上フレーム３０の組み立て体を配置し、その上にＵＶ接着材５０を配置し、その上にフロントウインドウ１０を配置した組み立て体を設置する。ＵＶ接着材５０はまだ硬化していないので、フロントウインドウ３０を動かして、位置決めすることが出来る。
【００３７】
図９において、液晶表示パネル２とフロントウインドウ１０のコーナー部は、トレイの凹部に配置されたコーナー部セッティング治具４３０に押し付けられて、位置決めされる。この時の押し付けは、図９における丸棒で模式的に示す押し治具４２１によって行われる。押し治４２１具は４箇所に配置されているが、４箇所全部に必要ではなく、例えば、コーナー部２箇所の押し治具だけでもよい。液晶表示パネル２等の大きさによって、押し治具４２１の位置、数等を適当に選べばよい。図９において重要な点は、コーナー部セッティング治具４３０には、上フレーム３０は接触せず、液晶表示パネル２のコーナー部とフロントウインドウ１０のコーナー部が接触しているということである。
【００３８】
図１０はこの状態を示す断面模式図である。図１０において、コーナー部セッティング治具４３０は、フロントウインドウ１０の端部と液晶表示パネル２の端部に直接接触している。図１０はコーナー部であるから上フレーム３０には切り欠き３１が存在しており、上フレーム３０は、コーナー部セッティング治具４３０には接触しない。これによって、液晶表示パネル２の端部とフロントウインドウ１０の端部は直接位置決めされることになる。
【００３９】
したがって、液晶表示パネル２と上フレーム３０、上フレーム３０とフロントウインドウ１０の間の誤差を無視することが出来、従来例よりもフロントウインドウ１０の端部と液晶表示パネル２のブラックマトリクス１０１の端部の距離ｄを正確に設定することが出来る。すなわち、フロントウインドウ１０の端部によって位置決めされる筐体２０の表示領域の中心と、液晶表示パネル２の周辺ブラックマトリクス１０１の端部によって規定される表示領域の中心の誤差を小さくすることが出来る。
【００４０】
図１０は、液晶表示パネル２の外形とフロントウインドウ１０の外形が同じ場合の例であるが、図１１は、フロントウインドウ１０の外形が液晶表示パネル２の外形よりも大きい場合のコーナー部セッティング治具４３０を示す断面図である。図１１に示すように、液晶表示パネル２とフロントウインドウ１０との外形が異なる場合は、コーナー部セッティング治具４３０に段差を設けることによって、簡単に対応することが出来る。
【００４１】
このようにして形成された液晶表示パネル２、上フレーム３０、フロントウインドウ１０の組み立て体に対し、液晶表示パネル２の背面側からモールド３００に収容されたバックライト３を配設することによって、図２に示す液晶表示装置が形成される。液晶表示パネル２と、バックライト３を収容したモールド３００は、両面接着テープ６０によって接着する。
【００４２】
このようにして形成された液晶表示装置をＤＳＣ１等の筐体２０に組み込むときは、筐体２０の端部とフロントウインドウ１０の端部を突き合わせて筐体２０で規定される表示領域と液晶表示パネル２の表示領域を一致させる。本発明によれば、フロントウインドウ１０の端部から液晶表示パネル２の周辺ブラックマトリクス１０１の端部までの距離ｄを正確に設定することが出来るので、筐体２０で規定される表示領域の中心と液晶表示パネル２の表示領域の中心を正確に一致させることが出来る。
【００４３】
図１２は、本発明と従来技術において、液晶表示パネル２の表示領域の中心とフロントウインドウ１０の外形で規定される表示領域の中心とのズレを評価した表である。図１２は、特定品種の例である。図１２（ａ）は、従来技術において、筐体２０の内側端部すなわち、フロントウインドウ１０の端部によって規定される表示領域の中心と液晶表示パネル２の表示領域の中心のズレを評価した表である。
【００４４】
図１２（ａ）において、表示領域は液晶表示パネル２の表示領域のことである。（表示領域−液晶表示パネル外形）は、液晶表示パネル２の外形によって規定される中心と、実際の液晶表示パネル２の表示領域の中心の誤差をいう。この誤差は、マザー基板から液晶表示パネル２を分離する時の誤差等によって発生する。この誤差は±０．１ｍｍである。
【００４５】
（液晶表示パネルの外形−上フレーム）は、図８に示すように、液晶表示パネル２を上フレーム３０の内側に両面接着テープ６０によって貼り付けるときの誤差である。この誤差は±０．２ｍｍである。（上フレーム−フロントウインドウの外形）は、図１４に示すように、上フレーム３０を基準にしてフロントウインドウ１０を接着する場合の誤差である。この誤差は±０．１５ｍｍである。全体の誤差をこれらの誤差の単純加算であるとして評価すると、従来例による誤差は、±０．４５ｍｍとなる。
【００４６】
図１２（ｂ）は、本発明による、筐体２０の内側端部すなわち、フロントウインドウ１０の端部によって規定される表示領域の中心と液晶表示パネル２の表示領域の中心のズレを評価した表である。図１２（ｂ）において、（表示領域−液晶表示パネル外形）は、図１２（ａ）で説明したのと同じであり、この誤差は±０．１ｍｍである。
【００４７】
本発明においては、フロントウインドウ１０の位置を上フレーム３０によっては規定していないので、（液晶表示パネルの外形−上フレーム）、および、（上フレーム−フロントウインドウの外形）による誤差は発生しない。一方、本発明においては、図１０のように、液晶表示パネル２とフロントウインドウ１０を直接位置合わせするので、この時の組立て誤差が発生する。この誤差は±０．１５ｍｍである。
【００４８】
全体の誤差をこれらの誤差の単純加算であるとして評価すると、従来例による誤差は、±０．２５ｍｍとなる。すなわち、本発明によれば、液晶表示パネル２の表示領域の中心のズレと、筐体２０の内側端部、すなわち、フロントウインドウ１０の端部によって規定される表示領域の中心の誤差は従来例に比較して０．２ｍｍ改善される。表示領域の中心の誤差が大きい場合は、製品が不良となることを考慮すると、±０．４５ｍｍから±０．２５ｍｍへの改善効果は非常に大きい。
【００４９】
以上の説明では、上フレーム３０の切り欠き３１はコーナー部に設け、コーナー部において、液晶表示パネル２のコーナー部を露出させることによって液晶表示パネル２とフロントウインドウ１０の位置合わせを行っている。この方法は、コーナー部において、位置合わせを行うことによって、図９に示すように、コーナー部のみを押し治具４２１によって押すことで、液晶表示パネル２とフロントウインドウ１０の位置合わせをすることが出来るという利点を有する。
【００５０】
しかし、本発明では、上フレーム３０の切り欠き３１は、コーナー部のみでなく、上フレーム３０の短辺の切り欠き、あるいは長辺の切り欠きによっても実施することが出来る。すなわち、上フレーム３０の短辺に切り欠きを形成することによって表示領域の長辺方向のズレを小さくすることが出来、上フレーム３０の長辺に切り欠きを形成することによって表示領域の短辺方向のズレを小さくすることが出来る。
【００５１】
また、以上の説明は、ＤＳＣ１等に使用される液晶表示装置を例にとって説明したが、これに限らず、本発明は、液晶表示パネル２の周辺に上フレーム３０を配置し、その上にフロントウインドウ１０を配置した、他の用途の液晶表示装置についても適用することが出来る。
【符号の説明】
【００５２】
１…ＤＳＣ、  ２…液晶表示パネル、  ３…バックライト、  ４…有機ＥＬ表示パネル、  １０…フロントウインドウ、  １２…遮光印刷、  ２０…筐体、  ２１…制御ボタン、  ２２…スイッチボタン、３０…上フレーム、３１…切り欠き、４０…下フレーム、  ５０…ＵＶ接着材、  ６０…両面接着テープ、  ７０…ＩＣドライバ、  ８０…フレキシブル配線基板、  １００…ＴＦＴ基板、  １０１…ブラックマトリクス、  １０２…液晶層、  １０５…表示領域、  １１０…下偏光板、  １５０…シール材、  ２００…対向基板、  ２１０…上偏光板、  ３００…モールド、  ３１０…反射シート、  ３２０…導光板、  ３３０…下拡散シート、  ３４０…下プリズムシート、  ３５０…上プリズムシート、  ３６０…上拡散シート、  ４００…上フレームセッティング治具、４１０…上フレーム−液晶表示パネルセッティング治具、４１１…ガイド、４２０…フロントウインドウセッティング治具、  ４２５…凹部、  ４３０…コーナー部セッティング治具、  ４５０…従来例のフロントウインドウセッティング治具
【図１】
2013235146.tif 000003
【図２】
2013235146.tif 000004
【図３】
2013235146.tif 000005
【図４】
2013235146.tif 000006
【図５】
2013235146.tif 000007
【図６】
2013235146.tif 000008
【図７】
2013235146.tif 000009
【図８】
2013235146.tif 000010
【図９】
2013235146.tif 000011
【図１０】
2013235146.tif 000012
【図１１】
2013235146.tif 000013
【図１２】
2013235146.tif 000014
【図１３】
2013235146.tif 000015
【図１４】
2013235146.tif 000016
【図１５】
2013235146.tif 000017